(57)【要約】      （修正有）【課題】電解水生成装置から生成される強アルカリ性水の洗浄能力を向上させるとともに、長期間にわたり洗浄能力を維持することが出来る洗浄剤及び病院内で使用する殺菌効果を有する強酸性電解水を提供する。【解決手段】導電性触媒被膜を担持させた耐食性金属性円筒電極と円筒電極の外側を覆う円筒状隔膜を有する電解水生成装置を用い、ＮａＣｌが混入しない強アルカリ性電解水を洗浄目的に、強酸性電解水を殺菌目的に生成し、それぞれの目的に使用する。強アルカリ性電解水に緩衝剤としてメタ珪酸ナトリウム或は炭酸ナトリウムを添加することで、洗浄能力を長期間維持することを可能とする。殺菌効果を有する強酸性電解水は高純度の電解水を得ることが出来るため、ｐＨ３以下に維持することができ、殺菌効果を長期間保つことが出来る。【選択図】なし【特許請求の範囲】
【請求項１】
導電性触媒被膜を担持させた、耐食性金属性の円筒状電極と円筒状電極の外側を覆う円筒状隔膜の隔膜内部へ液体を連続的に流すための流入口及び吐出口とを備えた電解水生成装置による医療分野への応用
【請求項２】
請求項１に記載の円筒状電極を有する電解水生成装置より生成される強酸性電解水と強アルカリ性電解水の医療分野での利用方法
【発明の詳細な説明】
【技術分野】
【０００１】本発明は、医療分野に於ける電解水生成装置の使用とその電解水の有する殺菌及び洗浄に関するものであり、特に塩害を生じない殺菌効果と洗浄能力並びに洗浄後の廃液処理が容易な各種物品及び機器の洗浄剤に関する。
【背景技術】
【０００２】医療分野での電解水生成装置は、強酸性電解水の殺菌効果を利用した方法が殆どである。また、従来の電解水生成装置は電解水にナトリウムが混入し、使用後に塩害が生じるため充分な効果が得られない。さらに、電解水生成装置から生成された強酸性電解水と強アルカリ性電解水の両極端な電解水を充分生かすことが出来ず、いずれか一方、特に強酸性の電解水を利用するのみでは、電解水生成装置の能力を充分発揮しているとは思えない。
本発明は、電解水生成装置から生成される塩害のない強酸性電解水と強アルカリ性電解水のそれぞれの能力を生かして、医療分野で利用することを目的とする。
【発明の開示】
【発明を解決しようとする課題】
【０００３】医療分野での電解水生成装置の利用は強酸性電解水の使用が目的で、強アルカリ性電解水の利用は充分とは言えなかった。主に、強酸性電解水の利用はアトピー性皮膚炎の殺菌と院内や寝たきり患者の滅菌及び厨房及び食材の滅菌である。しかし、電解水の中に混入するナトリウムが皮膚に刺激的であり、院内の滅菌においても建物内の金属類を酸化させ、食材の滅菌もナトリウムの混入が気になるため、効果は期待できるものの問題点を抱えていた。強酸性電解水の問題点は、ナトリウムが混入しない電解水を利用することで解決できる。ナトリウムの混入がない電解水を得るには、エレテック・エンジニアリング株式会社の開発したイオン選択透過性能を有する隔膜を用いた円筒状電極を組み込んだ電解水生成装置を使用することで目的を達成できる。
上記の通り強酸性電解水の利用が多く、医療分野では強アルカリ性電解水の利用は少なく、強アルカリ性電解水を医療に利用する方法を考えることが医療関係の発展につながる。
そこで、強アルカリ性電解水を病院内で利用可能な全ての場所、例えば院内の病室、厨房、トイレ、浴室、待合室、玄関や使用器具の洗浄剤として利用することを考案した。強アルカリ性電解水の利用においても、洗浄するに際してナトリウムが混入しない電解水を得ることが条件であるが、この条件を満たすには強酸性電解水を生成する際に同時生成される強アルカリ性電解水を使用することで解決できる。
【０００４】従来の一般洗浄剤には、フッ素化有機化合物からなる洗浄剤で、溶解性、低温での乾燥性及び基材が不溶性等の優れた特性を有するものとして広く利用されていた。フッ素化有機化合物からなる洗浄剤は、油脂等の有機質を溶解除去する洗浄剤として極めて優れているが、環境汚染、特にオゾン層破壊等の問題によってその使用が禁止されるようになった。
こうしたフッ素化有機化合物に代わる溶剤として、生態系保護ならびに環境破壊させない溶剤が開発された。開発したのは日本政府が国内電力安定のために、電力会社と協力して「電源開発株式会社」を設立、その子会社である「株式会社電発環境緑化センター」が、発電所の洗浄とその排水処理を目的に、周囲の河川や海水汚染及び生態系の変化や環境破壊を招かないように開発されたのが、緩衝材としてメタ珪酸ナトリウム或は炭酸ナトリウムを適量添加した強アルカリ性電解水による地球にやさしい洗浄剤である。この環境に優しい洗浄剤を医療分野に利用すべく、この洗浄剤の製造方法を改良し、さらに、電解水にナトリウムが混入しないように工夫を凝らした電解水生成装置を使用して、強アルカリ性電解水の洗浄剤を生成した。
総合病院や工業関係の洗浄剤は機械部品、電子部品、衣類にフッ素化有機化合物が主に使用され、一般的洗浄剤はその殆どが石油を原料とした合成洗剤、主成分に化学物質である水酸化ナトリウム（苛性ソーダ）と水酸化カリウムを原料とした食器洗浄用洗剤、動植物油に苛性ソーダを加え加熱して反応させた石鹸（脂肪酸ナトリウム）、そして塩素系を主成分とした漂白剤である。
それらの洗剤は、その排水が河川や海水を富栄養化させ、各地で汚泥やアオコそして赤潮の発生、さらに主成分であるフッ素や界面活性剤の有害性や分解の遅さなどから環境汚染の原因になっている。医療分野においても、環境破壊を招かない前記の強アルカリ性電解水の洗浄能力と強酸性電解水の殺菌能力を利用することが課題である。
【課題を解決するための手段】
【０００５】課題を解決するためには、洗浄剤に関しては界面活性剤やフッ素化有機化合物を使用しない洗浄剤を生成することである。洗浄剤の生成には電解水生成装置を使用して強アルカリ性電解水を生成し、その電解水に緩衝材として適量のメタ珪酸ナトリウムもしくは炭酸ナトリウムを添加し生成する。殺菌液の生成には生成されたペーハー３以下の強酸性電解水を使用して、殺菌作用を発揮させる。しかし、従来の電解水生成装置は電解槽の隔膜と電極との間隔を均一に保つためにスペーサを用いなければならないが、スペーサは流路障害による供給水の圧力損失や局部的な隔膜の電極への押し付けを起させるという問題点もある。さらに、スペーサを種々工夫して均一な隔膜への接触を試みても、両槽間圧力に対して中間槽圧力が最適な陽極になるように細心の注意を払う必要があり、電解槽からの生成水の取り扱いに制限が生じてしまう、もしくは煩雑な圧力バランス調整機構を設けなければならないという問題点もある。
また、中間槽圧力を上記した方法で両側槽に対して陽圧に設定すると、消耗品である隔膜の劣化により通水率が上昇し、未分解の高濃度電解質溶液が流入してしまい、電解質の余分な損失や所定の生成水物性を得られなくなる。
このような問題点を解決し、水或は電解質を含む溶液を電気透析分解して高純度の電解水を連続的に生成する装置に使用可能な電極装置及び電解槽を提供することで解決できる。
【発明の効果】
【０００６】従来の電解水生成装置は、希釈したＮａＣｌ溶液（約１０００〜２０００ｐｐｍ）を不織布などで仕切った陽極液／陰極液に導入して電解を行う。この際、有効塩素濃度５０ｐｐｍの水を生成するのに約９００〜１８００ｐｐｍの未分解の余剰なＮａＣｌの混入を避けることが出来ない。
本発明に使用する電解水生成装置では従来の電解水生成装置とは違い、陽極室でファラデーの法則に従い隔膜を透析されてきたＣｌ−を電極表面にて有効塩素に励起する。この際、隔膜にイオン交換膜を使用する事により、Ｎａ＋の混入を厳に制限することが出来る。
従来の電解生成装置が均一濃度のＮａＣｌ溶液中のＣｌ−から有効塩素を生成するのに対し、本発明に使用する電解水生成装置では前述したイオン交換膜の近傍に電極を設置する事で透析されたＣｌ−バルク溶液中に拡散する前に電極表面上にて有効塩素化されるので非常に効率の良い電解が可能である。
例えば、強酸性電解水や強アルカリ性電解水中に含まれるＣｌ−濃度が従来の電解水生成装置の約１０分の１〜８分の１の１８０ｐｐｍ程度で有効塩素５０ｐｐｍの強酸性電解水や強アルカリ性電解水を生成することが可能である。Ｎａ＋に関しては、原水中に含まれるものを除けば殆ど含まれない。
このように本発明に使用する電解水生成装置で生成された強酸性電解水や強アルカリ性電解水は、ＮａＣｌを殆ど含まれないため、長期間の洗浄効果を維持できる。このＮａＣｌを含まない強アルカリ性電解水に緩衝材として適量のメタ珪酸ナトリウム或は炭酸ナトリウムを添加して作られた洗浄剤は、生態系や環境を破壊することなく目的を達成できる。殺菌作用を有する強酸性電解水においても、本発明に使用する電解水生成装置はエレックス・エンジニアリング株式会社の製品を使用することで、長期間洗浄能力を維持出来る強アルカリ性電解水と殺菌効果を有する強酸性電解水を得ることができる．
【発明を実施するための最良の形態】
【０００７】本発明に使用する電解水生成装置から生成される強アルカリ性電解水に緩衝材としてメタ珪酸ナトリウム或は炭酸ナトリウムを適量添加した洗浄剤や強酸性電解水による殺菌効果を有する殺菌液は、その素材をできる限り天然、自然な状態に維持しかつその新鮮さを保持しつつ素材から商品化への加工工程において、添加物や熱、水、圧力、空気、酸化等の品質劣化要因の少ない商品形態に考慮しなければならない。また、一日の使用量、取扱い易さ、コスト、関係法規の要因も考慮しなければならない。
適量添加されたメタ珪酸ナトリウム或は炭酸ナトリウムを添加した強アルカリ性電解水或は殺菌作用を有する強酸性電解水の製品化は、自体公知の添加物或は賦形剤、医薬担体と自体公知の方法で配合し、効能効果を有する洗浄剤や殺菌効果を有する殺菌液とすることができる。用いる添加物は特に限定するものではなく、目的とする効能効果の具体的用途に応じて当業者が適宜選択できる。また、形態も特に限定するものではなく、具体的用途に応じていろいろな形状にすることができる。
【実施例】
【０００８】群馬県猿ヶ京温泉の「万葉亭」は、４０名程度収容の旅館で、厨房に全自動食器洗浄機を使用している。その全自動食器洗浄機に３倍希釈のメタ珪酸ナトリウム入り強アルカリ性電解水を使用した。結果、非常に食器類の油やタンパク質の汚れ落ちが良く、洗浄機のガラス窓も中の状態が見えるようになった。泡がたたないため使いやすく、風呂の掃除にも使用している。【０００９】４人家族で、夕食に中華料理を食べた。食後に食器を洗う際に、メタ珪酸ナトリウムを添加した強アルカリ性電解水の原液を水道水で１００倍に希釈して液を作り、油が多く付着した食器を１００倍希釈のメタ珪酸ナトリウム入り強アルカリ性電解水を入れたポリバケツにどぶ漬けした。３０秒程度時間を置いて、お湯で食器を洗った。油分や汚れが取れ食器に光沢が出た。【００１０】強酸性電解水は岡山県玉野市にある山田病院で効果を試した。この副院長山田真人氏は、全身アトピー性皮膚炎に悩まされている。全身に常にかゆみを伴い、休む間も無く、身体をかきむしる。今までも、従来型の電解水生成装置の強酸性電解水を使用したことがあるが、ナトリウムが混入している強酸性電解水は、傷ついた皮膚には刺激的で使用を続けることが出来なかった。本発明に使用する電解装置から生成された強酸性電解水を風呂上りに吹きかけたところ、皮膚に刺激を感じることがなく、皮膚のかゆみも感じなくなった。
【産業上の利用可能性】
【００１１】メタ珪酸ナトリウムを添加した強アルカリ性電解水は、界面活性剤より環境に優しく、洗浄効果も優れている。特に、油脂、タンパク質の分解に能力を発揮するため、食器を洗浄することで、処理水が排水溝をきれいにし、さらにグリストラップの清掃にも役立つ。【００１２】従来の電解水生成装置で生成されたメタ珪酸ナトリウムを添加した強アルカリ性電解水は、発電所はもとより、新幹線の車体洗浄、ジェット機の機体洗浄、外車車体の油落し、洗濯会社の洗浄剤、油脂使用の製造会社にとすでに使用されている。【００１３】従来の電解水生成装置は強酸性電解水を皮膚炎の消炎作用に利用されている。長野県の飯田病院は強酸性電解水を使用して、アトピー性皮膚炎の治療に使用していることで有名である。強酸性水の効果は充分期待できるため、全国の病院で強酸性電解水が利用されている。【００１４】本発明に使用される電解水生成装置で生成された強アルカリ性電解水は、ＮａＣｌを出来る限り除去した画期的な洗浄剤として利用ことが出来る。さらに、本発明に使用される電解水生成装置の特徴である生成電解水にＮａＣｌを混入させない利点を生かして、強アルカリ性電解水の洗浄剤のみだけでなく同時生成される殺菌効果を有する強酸性電解水も、従来の使用方法で効果を発揮することが出来る。【００１５】さらに、農業では従来の電解水生成装置の問題点である未分解の高濃度電解質溶液の流入、電解質の隔膜の劣化による損失、有害ガスの発生等を解決した本発明に使用する電解水生成装置により、塩害を起さないため無農薬栽培に十分効果を発揮できるようになった。
本発明に使用する電解水生成装置を利用して、カゴメ株式会社が無農薬栽培に着手した。【００１６】医療分野では皮膚にナトリウムが付着しないためアトピー性皮膚炎の治療に、また、病院内の設備がナトリウムの弊害を受けず、院内感染の予防や寝たきり患者の滅菌そして医療施設や機器の洗浄にも利用できる。